【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
通信パラメータの設定処理を指示する指示手段と、
第１無線通信装置との無線によるデータ通信中に前記指示手段による指示が入力された場合に、前記第１無線通信装置とのデータ通信を中断し、第２無線通信装置との通信パラメータの設定のためのネットワークに切替える第１切替え手段と、
前記第１切替え手段によって切替えたネットワークで前記第２無線通信装置との間で通信パラメータの設定を行う通信パラメータ設定手段と、
前記第２無線通信装置との間での通信パラメータの設定を行った後、前記第１無線通信装置とのデータ通信のためのネットワークへ切替える第２切替え手段と、
を有することを特徴とする無線通信装置。
【請求項２】
前記第２切替え手段によるネットワークの切替え後、前記第１無線通信装置との間でのジョブが完了すると、前記通信パラメータ設定手段により設定された前記通信パラメータに基づいて前記第２無線通信装置との間で無線によるデータ通信を実行する通信手段を更に有することを特徴とする請求項１に記載の無線通信装置。
【請求項３】
前記通信手段は、ユーザ操作に基づいて前記通信パラメータ設定手段により設定された前記通信パラメータに切替えて通信することを特徴とする請求項２に記載の無線通信装置。
【請求項４】
前記通信手段は、前記第１無線通信装置との間でのジョブの完了に応答して、自動的に前記通信パラメータ設定手段により設定された前記通信パラメータに切替えて通信することを特徴とする請求項２に記載の無線通信装置。
【請求項５】
第１無線通信装置と第２無線通信装置との間での無線によるデータ通信中に、第３無線通信装置との間で通信パラメータの設定を行うように指示する指示手段と、
前記指示手段による指示が入力されると前記第１及び第２無線通信装置との間でのデータ通信を中断し、第１と第２無線通信装置のいずれかと前記第３無線通信装置との通信パラメータの設定のためのネットワークに切替える第１切替え手段と、
前記第１切替え手段によって切替えたネットワークで通信パラメータの設定を行う通信パラメータ設定手段と、
前記第３無線通信装置との間での通信パラメータの設定を行った後、前記第１及び第２無線通信装置との間でのデータ通信のためのネットワークへ切替える第２切替え手段と、を有することを特徴とする無線通信システム。
【請求項６】
前記第２切替え手段によるネットワークの切替え後、前記第１及び第２無線通信装置との間でのジョブが完了すると、前記通信パラメータ設定手段により設定された前記通信パラメータに基づいて前記第３無線通信装置との間で無線によるデータ通信を実行する通信手段を更に有することを特徴とする請求項５に記載の無線通信システム。
【請求項７】
通信パラメータの設定処理を指示する指示手段と、
第１無線通信装置との無線によるデータ通信中に前記指示手段による指示が入力された場合に、前記第１無線通信装置とのデータ通信の終了に応答して、第２無線通信装置との通信パラメータの設定のためのネットワークに切替える第１切替え手段と、
前記第１切替え手段によって切替えたネットワークで前記第２無線通信装置との間で通信パラメータの設定を行う通信パラメータ設定手段と、
前記第１の切替え手段によるネットワークの切替え後も、前記第１無線通信装置とのデータ通信に基づくデータ処理を継続する継続手段と、
を有することを特徴とする無線通信装置。
【請求項８】
前記第２無線通信装置との間での通信パラメータの設定を行った後、前記第１無線通信装置とのデータ通信のためのネットワークへ切替える第２切替え手段を更に有することを特徴とする請求項７に記載の無線通信装置。
【請求項９】
前記継続手段は、前記第１無線通信装置から受信したデータの出力処理を継続し、
前記第２切替え手段により切替えられたネットワークを介して、前記出力処理結果を前記第１無線通信装置に通知する通知手段を更に有することを特徴とする請求項８に記載の無線通信装置。
【請求項１０】
通信パラメータの設定処理を指示する指示工程と、
第１無線通信装置との無線によるデータ通信中に前記指示工程による指示が入力されると前記第１無線通信装置とのデータ通信を中断し、第２無線通信装置との通信パラメータの設定のためのネットワークに切替える第１切替え工程と、
前記第１切替え工程で切替えたネットワークで前記第２無線通信装置との間で通信パラメータの設定を行う通信パラメータ設定工程と、
前記第２無線通信装置との間での通信パラメータの設定を行った後、前記第１無線通信装置とのデータ通信のためのネットワークへ切替える第２切替え工程と、
を有することを特徴とする無線通信装置の制御方法。
【請求項１１】
通信パラメータの設定処理を指示する指示工程と、
第１無線通信装置との無線によるデータ通信中に前記指示工程による指示が入力された場合に、前記第１無線通信装置とのデータ通信の終了に応答して、第２無線通信装置との通信パラメータの設定のためのネットワークに切替える第１切替え工程と、
前記第１切替え工程で切替えたネットワークで前記第２無線通信装置との間で通信パラメータの設定を行う通信パラメータ設定工程と、
前記第１の切替え工程におけるネットワークの切替え後も、前記第１無線通信装置とのデータ通信に基づくデータ処理を継続する継続工程と、
を有することを特徴とする無線通信装置の制御方法。
【請求項１２】
請求項１０又は１１に記載の通信装置の制御方法をコンピュータに実行させるためのコンピュータプログラム。
【手続補正２】
【補正対象書類名】明細書
【補正対象項目名】０００７
【補正方法】変更
【補正の内容】
【０００７】
上記目的を達成するために本発明の一態様に係る無線通信装置は以下のような構成を備える。即ち、
通信パラメータの設定処理を指示する指示手段と、
第１無線通信装置との無線によるデータ通信中に前記指示手段による指示が入力された場合に、前記第１無線通信装置とのデータ通信を中断し、第２無線通信装置との通信パラメータの設定のためのネットワークに切替える第１切替え手段と、
前記第１切替え手段によって切替えたネットワークで前記第２無線通信装置との間で通信パラメータの設定を行う通信パラメータ設定手段と、
前記第２無線通信装置との間での通信パラメータの設定を行った後、前記第１無線通信装置とのデータ通信のためのネットワークへ切替える第２切替え手段とを有することを特徴とする。
【手続補正３】
【補正対象書類名】明細書
【補正対象項目名】０００８
【補正方法】変更
【補正の内容】
【０００８】
上記目的を達成するために本発明の一態様に係る無線通信装置の制御方法は以下のような工程を備える。即ち、
通信パラメータの設定処理を指示する指示工程と、
第１無線通信装置との無線によるデータ通信中に前記指示工程による指示が入力されると前記第１無線通信装置とのデータ通信を中断し、第２無線通信装置との通信パラメータの設定のためのネットワークに切替える第１切替え工程と、
前記第１切替え工程で切替えたネットワークで前記第２無線通信装置との間で通信パラメータの設定を行う通信パラメータ設定工程と、
前記第２無線通信装置との間での通信パラメータの設定を行った後、前記第１無線通信装置とのデータ通信のためのネットワークへ切替える第２切替え工程と、
を有することを特徴とする。
【手続補正４】
【補正対象書類名】明細書
【補正対象項目名】０００９
【補正方法】変更
【補正の内容】
【０００９】
上記目的を達成するために本発明の一態様に係る無線通信システムは以下のような構成を備える。即ち、
第１無線通信装置と第２無線通信装置との間での無線によるデータ通信中に、第３無線通信装置との間で通信パラメータの設定を行うように指示する指示手段と、
前記指示手段による指示が入力されると前記第１及び第２無線通信装置との間でのデータ通信を中断し、第１と第２無線通信装置のいずれかと前記第３無線通信装置との通信パラメータの設定のためのネットワークに切替える第１切替え手段と、
前記第１切替え手段によって切替えたネットワークで通信パラメータの設定を行う通信パラメータ設定手段と、
前記第３無線通信装置との間での通信パラメータの設定を行った後、前記第１及び第２無線通信装置との間でのデータ通信のためのネットワークへ切替える第２切替え手段と、を有することを特徴とする。
【手続補正５】
【補正対象書類名】明細書
【補正対象項目名】００２３
【補正方法】変更
【補正の内容】
【００２３】
図４では、４０７で、無線ＬＡＮの通信パラメータとしてＳＳＩＤが「comm13」に指定された例が示されている。更に、通信パラメータとして暗号化方式がＸ２、暗号鍵がＹ２に指定される。この通信パラメータを受信したデジタルカメラ１０３は、プリンタ１０１へ確認を返す（４０８）。こうして無線通信ネットワーク接続のための通信パラメータが、プリンタ１０１とデジタルカメラ１０３との間で送受信された後、プリンタ１０１とデジタルカメラ１０３の間の通信パラメータ設定用ネットワークを終了する。デジタルカメラ１０３は、通信パラメータ設定用ネットワークを終了すると、プリンタ１０１から指定された通信パラメータ（ＳＳＩＤが「comm13」、暗号方式がＸ２、暗号鍵がｙ２）を設定する。